(57)【要約】【課題】データの未再生部分の再生に要する正確な時間を利用者が把握できないようにすること。【解決手段】情報処理装置は、データの全体を再生するのに要する時間を表す第１の所要時間を調整して第２の所要時間を生成する生成部と、データの再生時に、第２の所要時間に基づいてデータの再生状況をディスプレイに表示する表示制御部と、を備える。【選択図】図１
2014168154.tif 000002
【特許請求の範囲】
【請求項１】
データの全体を再生するのに要する時間を表す第１の所要時間を調整して第２の所要時間を生成する生成部と、
前記データの再生時に、前記第２の所要時間に基づいて前記データの再生状況をディスプレイに表示する表示制御部と、
を備える、情報処理装置。
【請求項２】
前記生成部は、前記第１の所要時間を延長して前記第２の所要時間を生成する、
請求項１に記載の情報処理装置。
【請求項３】
前記生成部は、前記第１の所要時間を短縮して前記第２の所要時間を生成する、
請求項１に記載の情報処理装置。
【請求項４】
前記生成部は、所定の分布に従う時間を前記第１の所要時間に加算もしくは減算し、または、所定の分布に従う係数を前記第１の所要時間に乗算もしくは除算して、前記第２の所要時間を生成する、
請求項１に記載の情報処理装置。
【請求項５】
前記表示制御部は、前記データの全体を再生するのに必要な時間として前記第２の所要時間を前記ディスプレイに表示するとともに、前記データの再生済みの時間を表す再生時間を前記ディスプレイに表示する、
請求項１ないし４のいずれか１項に記載の情報処理装置。
【請求項６】
前記表示制御部は、前記第２の所要時間から前記データの再生済みの時間を差し引いた時間を、前記データの未再生部分の再生に要する残り時間として前記ディスプレイに表示する、請求項１ないし５のいずれか１項に記載の情報処理装置。
【請求項７】
前記表示制御部は、前記第２の所要時間を前記データの全体を再生するのに必要な時間としたシークバーと、前記第２の所要時間に対する前記データの再生済みの時間の割合に応じて該シークバー上における位置を決定したスライダーを、前記ディスプレイに表示する、
請求項１ないし６のいずれか１項に記載の情報処理装置。
【請求項８】
データに付されたタグと該データの再生状況の表示を変更するか否かを示すフラグとを対応付けて保持する記憶部を備え、
前記表示制御部は、データに付されたタグに対応付けられたフラグが該データの再生状況の表示を変更することを示す場合、前記第２の所要期間に基づいて該データの再生状況を前記ディスプレイに表示し、それ以外の場合、前記第１の所要期間に基づいて該データの再生状況を前記ディスプレイに表示する、請求項１ないし７のいずれか１項に記載の情報処理装置。
【請求項９】
情報処理装置が、データの全体を再生するのに要する時間を表す第１の所要時間を調整して第２の所要時間を生成する生成工程と、
前記データの再生時に、前記第２の所要時間に基づいて前記データの再生状況をディスプレイに表示する表示工程と、
を含む、情報処理方法。
【請求項１０】
データの全体を再生するのに要する時間を表す第１の所要時間を調整して第２の所要時間を生成する処理と、
前記データの再生時に、前記第２の所要時間に基づいて前記データの再生状況をディスプレイに表示する処理と、
をコンピュータに実行させる、プログラム。
【発明の詳細な説明】
【技術分野】
【０００１】
本発明は、情報処理装置、情報処理方法およびプログラムに関し、特に、動画データ、音楽データなどを再生する機能を備えた情報処理装置、情報処理方法およびプログラムに関する。
【背景技術】
【０００２】
YouTube（登録商標）、ニコニコ動画（登録商標）などに投稿された動画データを、利用者がスマートフォン、ＰＣ（Personal Computer）等の情報処理装置において視聴する際、動画データの再生状況（例えば、再生に要する時間と再生済みの時間、再生の進み具合を示すスライダーを備えたシークバー）がディスプレイ上に表示される。
【０００３】
図８は、動画再生中にディスプレイに表示される内容を例示する。図８を参照すると、ディスプレイには、再生中の動画データを表示する動画再生画面１３１のみならず、動画データの再生に要する時間を表す所要時間Ｔ１、動画の再生済みの時間を表す再生時間ｔ、シークバー１３２、および、スライダー１３４表示されている。
【０００４】
シークバー１３２は、所要時間Ｔ１に対する再生時間ｔの割合に応じてスライダー１３４上を移動する。例えば、動画データの再生開始時にスライダー１３４はシークバー１３２の左端に位置し、再生が進行するに従ってシークバー１３２上を右方向に移動し、動画データの再生終了時にシークバー１３２の右端に到達する。また、利用者は、シークバー１３２上でスライダー１３４の位置を移動させることにより、動画データの再生箇所を変更することができる。
【０００５】
関連技術として、特許文献１には、画像の視聴時における周辺の音声レベルが閾値よりも大きい場合、再生中のデータの再生時間を延長することによって、利用者の嗜好に即した画像の視聴を実現する情報処理装置が記載されている。
【０００６】
また、特許文献２には、音声／動画データの現在の再生位置を表す再生位置表示体（すなわち、スライダー）の移動に関する情報を受け付け、当該情報に応じて時間軸（すなわち、シークバー）の目盛の間隔を変更することによって、利用者が音声／動画データの再生位置を正確に指定できるようにした再生装置が記載されている。
【０００７】
さらに、特許文献３には、再生コンテンツの再生位置を変更する変更量が大の調整を可能とするタイムバーと、再生コンテンツの現在の再生位置を中心として一定範囲の時間を拡大し、再生コンテンツの再生位置を変更する変更量が小の調整を可能とする拡大されたタイムバーとを表示することによって、利用者が快適に映像操作を行うことを可能とする再生装置が記載されている。
【０００８】
また、特許文献４には、設定した時間から減算する減算タイマを設け、減算タイマにより表示される時間と、再生するビデオの残り時間とを同時に表示することによって、利用者が早送りによりビデオを結末まで視聴できるようにした再生装置が記載されている。
【先行技術文献】
【特許文献】
【０００９】
【特許文献１】特開２０１１−１６０１６０号公報
【特許文献２】特開２０１０−２１１８８１号公報
【特許文献３】特開２００８−１５２３３３号公報
【特許文献４】特開２００６−２３６４８４号公報
【発明の概要】
【発明が解決しようとする課題】
【００１０】
上記の特許文献の全開示内容は、本書に引用をもって組み込み記載されているものとする。以下の分析は、本発明者によってなされたものである。
【００１１】
利用者の投稿による動画データを携帯電話などの通信機器にて視聴する際、動画データの早送り、巻き戻しのためにシークバーが表示される。また、シークバー以外に、動画データの全体を再生するのに必要な所要時間と、再生済みの時間を示す再生時間が表示される場合もある。動画データの視聴者は、これらの情報に基づいて、動画データの終了時刻が近づいたことを推測することができる。
【００１２】
図８に示したように、所要時間Ｔ１と再生時間ｔが表示されている場合、利用者は所要時間Ｔ１と再生時間ｔから、データの再生がどの程度まで進んだのかを把握することができる。また、利用者は、所要時間Ｔ１と再生時間ｔとの差（Ｔ１−ｔ）から、データの未再生部分を再生するのに要する残り時間を推定することもできる。
【００１３】
さらに、図８に示したように、シークバー１３２とスライダー１３４が表示されている場合、利用者はシークバー１３２上のスライダー１３４の位置を参照することにより、データの再生の進み具合を容易に把握することができる。
【００１４】
したがって、図８のような表示によると、所要時間Ｔ１、再生時間ｔ、シークバー１３２およびスライダー１３４に基づいて、利用者はデータの再生が終了に近づいていることを容易に推定することができる。
【００１５】
ところで、データの内容によっては、データの再生の進み具合に応じて、利用者がデータの未再生部分の展開を予測できる場合がある。例えば、ボクシングやバレーボールのように試合時間が決まっていないスポーツの動画データを再生する場合、動画データの未再生部分の再生に必要な残り時間が少なくなってくると、利用者は試合の終了が近づいていると推定できる。
【００１６】
例えば、ボクシングの試合の動画を再生している場合に残り時間が１分となると、利用者は視聴中のラウンドで試合が終了することを予測できる。また、バレーボールの試合の動画を再生している場合に残り時間が少なくなったとき、利用者は視聴中のセットで試合が終了することを予測できる。このとき、セットカウントでリードしている側のチームの勝利を予測できてしまうようなケースも起こり得る。
【００１７】
このように、所要時間Ｔ１、再生時間ｔ、シークバー１３２およびスライダー１３４が表示されることによって、データの未再生部分の展開が予測できてしまうと、データを視聴する楽しみが損なわれるという問題がある。
【００１８】
データの未再生部分の展開を残り時間に基づいて把握できないようにするために、投稿する動画データの本編に余分な動画データを付加する方法が考えられる。しかし、投稿者が動画データを加工する作業は煩雑である上、視聴者の側も付加された動画データの分だけ余分にデータをダウンロードする必要があり、ネットワークのトラフィックも増大するという問題がある。
【００１９】
特許文献１に記載された技術は利用者の嗜好に応じて再生速度を調整するものであり、上述の問題を解消することはできない。また、特許文献２、３に記載された技術は利用者によるスライダーの操作性の向上を図るものであり、上述の問題を解消することはできない。さらに、特許文献４に記載された技術によると、ビデオの残り時間が表示されることにより上述の問題が一層あらわとなる。
【００２０】
そこで、データの未再生部分の再生に要する正確な時間を利用者が把握できないようにすることが要望される。本発明の目的は、かかる要望に寄与する情報処理装置、情報処理方法およびプログラムを提供することにある。
【課題を解決するための手段】
【００２１】
本発明の第１の視点に係る情報処理装置は、
データの全体を再生するのに要する時間を表す第１の所要時間を調整して第２の所要時間を生成する生成部と、
前記データの再生時に、前記第２の所要時間に基づいて前記データの再生状況をディスプレイに表示する表示制御部と、を備える。
【００２２】
本発明の第２の視点に係る情報処理方法は、
情報処理装置が、データの全体を再生するのに要する時間を表す第１の所要時間を調整して第２の所要時間を生成する生成工程と、
前記データの再生時に、前記第２の所要時間に基づいて前記データの再生状況をディスプレイに表示する表示工程と、を含む。
【００２３】
本発明の第３の視点に係るプログラムは、
データの全体を再生するのに要する時間を表す第１の所要時間を調整して第２の所要時間を生成する処理と、
前記データの再生時に、前記第２の所要時間に基づいて前記データの再生状況をディスプレイに表示する処理と、をコンピュータに実行させる。
なお、プログラムは、非一時的なコンピュータ可読記録媒体（non-transitory computer-readable storage medium）に記録されたプログラム製品として提供することができる。
【発明の効果】
【００２４】
本発明に係る情報処理装置、情報処理方法およびプログラムによると、データの未再生部分の再生に要する正確な時間を利用者が把握できないようすることが可能となる。
【図面の簡単な説明】
【００２５】
【図１】本発明に係る情報処理装置の構成を一例として示すブロック図である。
【図２】本発明に係る情報処理装置の動作の一例を説明するための図である。
【図３】本発明に係る情報処理装置の他の構成を一例として示すブロック図である。
【図４】第１の実施形態に係る情報処理装置の構成を一例として示すブロック図である。
【図５】第１の実施形態に係る情報処理装置の動作の一例を説明するための図である。
【図６】第２の実施形態に係る情報処理装置の記憶部が保持するテーブルを例示する図である。
【図７】第２の実施形態に係る情報処理装置の動作を一例として示すフロー図である。
【図８】関連技術の動作について説明するための図である。
【発明を実施するための形態】
【００２６】
はじめに、本発明の概要について説明する。なお、この概要に付記する図面参照符号は、専ら理解を助けるための例示であり、本発明を図示の態様に限定することを意図するものではない。
【００２７】
図１は、本発明に係る情報処理装置（１０）の構成を一例として示すブロック図である。図１を参照すると、情報処理装置（１０）は、生成部（１２）および表示制御部（１４）を備えている。
【００２８】
生成部（１２）は、データの全体を再生するのに要する時間を表す第１の所要時間（Ｔ１）を調整して第２の所要時間（Ｔ２）を生成する。表示制御部（１４）は、データの再生時に、第２の所要時間（Ｔ２）に基づいてデータの再生状況をディスプレイに表示する。
【００２９】
かかる情報処理装置（１０）によると、データの全体を再生するのに本来必要とされる時間（Ｔ１）を調整して生成された所要時間（Ｔ２）に基づいてデータの再生状況が表示される。したがって、情報処理装置（１０）によると、データの未再生部分の再生に要する正確な時間を利用者が把握できないようする効果がもたらされる。
【００３０】
生成部（１２）は、第１の所要時間（Ｔ１）を延長して第２の所要時間（Ｔ２）を生成してもよい。一方、生成部（１２）は、第１の所要時間（Ｔ１）を短縮して第２の所要時間（Ｔ２）を生成してもよい。かかる情報処理装置（１０）によると、データの全体を再生するのに本来必要とされる時間（Ｔ１）とは異なる所要時間（Ｔ２）に基づいてデータの再生状況が表示することができる。
【００３１】
また、生成部（１２）は、所定の分布（例えば、一様分布、正規分布などであってもよいが、これらに限定されない。）に従う時間を第１の所要時間（Ｔ１）に加算もしくは減算し、または、所定の分布に従う係数を第１の所要時間（Ｔ１）に乗算もしくは除算して、第２の所要時間（Ｔ２）を生成してもよい。かかる情報処理装置（１０）によると、データの再生の都度、異なる方法により第１の所要時間（Ｔ１）から第２の所要時間（Ｔ２）が生成される。したがって、データの再生状況の表示が変更されていることに利用者が気付きにくくなるという効果がもたらされる。
【００３２】
図２は、情報処理装置（１０）の動作の一例を説明するための図である。図２を参照すると、表示制御部（１４）は、データの全体を再生するのに必要な時間として第２の所要時間（Ｔ２）をディスプレイに表示するとともに、データの再生済みの時間を表す再生時間（ｔ）をディスプレイに表示するようにしてもよい。かかる情報処理装置（１０）によると、利用者はデータの未再生部分の再生に要する時間が（Ｔ２−ｔ）であると推測することになる。すなわち、利用者はデータの未再生部分の再生に要する正確な時間（Ｔ１−ｔ）を把握することができなくなる。なお、表示制御部（１４）は、第２の所要時間（Ｔ２）からデータの再生済みの時間（ｔ）を差し引いた時間（Ｔ２−ｔ）を、データの未再生部分の再生に要する残り時間（Δｔ２）としてディスプレイに明示的に表示してもよい。
【００３３】
図２を参照すると、表示制御部（１４）は、第２の所要時間（Ｔ２）をデータの全体を再生するのに必要な時間としたシークバー（３２）と、第２の所要時間（Ｔ２）に対するデータの再生済みの時間（ｔ）の割合（ｔ／Ｔ２）に応じてシークバー（３２）上における位置を決定したスライダー（３４）を、ディスプレイに表示してもよい。
【００３４】
かかる情報処理装置（１０）によると、シークバー（３２）上を移動するスライダー（３４）の速度を本来よりも遅くしたり速くしたりすることができ、スライダー（３４）を本来表示される位置とは異なる位置に表示することができる。具体的には、スライダー（３４）がシークバー（３２）上を左端から右端に移動する場合、本来であれば、スライダー（３４）はシークバー（３２）上の左からｔ／Ｔ１の箇所に表示されるはずであるが、情報処理装置（１０）によると、スライダー（３４）はシークバー（３２）上の左からｔ／Ｔ２の箇所に表示される。したがって、情報処理装置（１０）によると、データの未再生部分の再生に要する正確な時間を利用者が把握できないようする効果がもたらされる。
【００３５】
なお、図２においては、再生時間／所要時間（ｔ／Ｔ２）の表示と、シークバー（３２）およびスライダー（３４）の表示の両方が行われているが、これらの一方のみを表示するようにしてもよい。また、利用者による操作（例えば、マウスの操作、タッチパネルへのタッチ操作など）の有無に応じて、これらの表示を消去ないし再表示してもよい。
【００３６】
図３は、本発明に係る情報処理装置（１０）の他の構成を一例として示すブロック図である。図３を参照すると、情報処理装置（１０）は、生成部（１２）、表示制御部（１４）および記憶部（１６）を備えている。
【００３７】
記憶部（１６）は、データに付されたタグとデータの再生状況の表示を変更するか否かを示すフラグとを対応付けて保持する。表示制御部（１４）は、データに付されたタグに対応付けられたフラグがデータの再生状況の表示を変更することを示す場合、第２の所要期間（Ｔ２）に基づいてデータの再生状況をディスプレイに表示し、それ以外の場合、第１の所要期間（Ｔ１）に基づいてデータの再生状況をディスプレイに表示する。
【００３８】
かかる情報処理装置によると、データの種別（例えば、データの内容、データの提供元など）に応じて、データの再生状況の表示を通常の表示（すなわち、所要時間Ｔ１に基づく表示）と、変更された表示（所要時間Ｔ２に基づく表示）とを切り替えることが可能となる。
【００３９】
例えば、データが音楽データである場合、データ未再生部分を再生するのに要する残り時間を利用者が把握できたとしても利用者のデータ再生の楽しさが損なわれることはない。一方、データが試合時間の決まっていないスポーツの動画データである場合、利用者は残り時間に基づいて未再生部分の展開が予測できてしまうおそれがある。このとき、後者のデータについてのみ、データの再生状況の表示を変更することが好ましい。情報処理装置（１０）によると、データに付されたタグとデータの再生状況の表示を変更するか否かを示すフラグとを対応付けて記憶部（１６）に保持することで、データの再生状況の表示を変更するか否かを、データの種別に応じて切り替えることが可能となる。
【００４０】
以下、実施形態に基づいて、本発明に係る情報処理装置について、さらに詳細に説明する。
【００４１】
＜実施形態１＞
第１の実施形態に係る情報処理装置について、図面を参照して説明する。ここでは、情報処理装置がスマートフォンなどの携帯情報端末である場合について説明する。また、情報処理装置において視聴するデータを、投稿者がインターネットに接続されたサーバに投稿した動画データとする。ただし、本発明において、情報処理装置は携帯情報端末に限定されず、再生されるデータも動画データに限定されない。
【００４２】
図４は、本実施形態に係る情報処理装置２０の構成を一例として示すブロック図である。図４を参照すると、投稿者端末６０、サーバ７０および情報処理装置２０は、インターネットに接続する。投稿者は、投稿者端末６０からインターネットにアクセスすることにより、サーバ７０上に動画データを投稿（アップロード）する。情報処理装置２０の利用者は、サーバ７０に蓄積された動画データを情報処理装置２０にダウンロードして視聴する。
【００４３】
図４を参照すると、情報処理装置２０は、操作入力部２１、通信部２２、ＣＰＵ（Central Processing Unit）２３、ディスプレイ２５、および、記憶部２６を備えている。
【００４４】
操作入力部２１は、利用者からの操作を受け付ける。通信部２２は、インターネットへの接続を行い、サーバ７０に蓄積された動画データをダウンロードする。ＣＰＵ２３は、ダウンロードされた動画データの再生状況の表示内容を決定し、決定した表示内容をディスプレイ２５に表示させる。記憶部２６は、動画データの再生状況の表示を決定するためのパラメータ等を保持している。
【００４５】
ＣＰＵ２３は、動画データの全体を再生するのに必要な時間を示す所要時間（所要時間Ｔ１とする。）を、動画データから抽出する。ＣＰＵ２３は、記憶部２６が保持するパラメータを用いて所要時間Ｔ１を延長することにより、所要時間Ｔ２を生成する。
【００４６】
記憶部２６は、所要時間Ｔ１に加算すべき延長時間αを保持するようにしてもよい。このとき、ＣＰＵ２３は、所要時間Ｔ１に延長時間αを加算して所要時間Ｔ２を生成する。一方、記憶部２６は、所要時間Ｔ１に掛け合わせるべき係数β（＞１）を保持するようにしてもよい。このとき、ＣＰＵ２３は、所要時間Ｔ１に係数βを掛け合わせて所要時間Ｔ２を生成する。
【００４７】
ＣＰＵ２３は、所要時間Ｔ１の代わりに所要時間Ｔ２を用いて、動画の再生状況をディスプレイ２５に表示する。ＣＰＵ２３は、例えば、動画の再生済みの時間を表す再生時間ｔを、所要時間Ｔ２とともにディスプレイ２５に表示してもよい。また、ＣＰＵ２３は、所要時間をＴ２としたときのシークバーおよびスライダーをディスプレイ２５に表示してもよい。
【００４８】
次に、情報処理装置２０の動作について、具体例を用いて説明する。ここでは、一例として、動画データの再生に要する所要時間Ｔ１を３０秒とする。また、記憶部２６は、延長時間αとして３０秒、係数βとして２を保持しているものとする。
【００４９】
ＣＰＵ２３は、動画データを再生する際、動画データの再生に要する所要時間Ｔ１を取得する。また、ＣＰＵ２３は、記憶部２６から延長時間α（または、係数β）を取得し、所要時間Ｔ１に加算（または乗算）して、ダミーの所要時間Ｔ２を生成する。ここでは、所要時間Ｔ２は、Ｔ１＋α（またはＴ１×β）、すなわち、６０秒となる。
【００５０】
さらに、ＣＰＵ２３は、ダミーの所要時間Ｔ２を動画データの再生に要する時間としつつ、動画データの再生状況をディスプレイ２５に表示する。図５は、情報処理装置２０のディスプレイ２５に表示される再生状況を例示する。
【００５１】
図５（ａ）は、比較例として関連技術に基づく表示例を示す。すなわち、図５（ａ）は、本来の所要時間Ｔ１を用いて動画データの再生状況を表示したときの様子を示す。一方、図５（ｂ）は、本実施形態の情報処理装置２０による表示例を示す。すなわち、図５（ｂ）は、ダミーの所要時間Ｔ２を用いて動画データの再生状況を表示したときの様子を示す。
【００５２】
図５（ａ）を参照すると、ディスプレイ２５には、再生中の動画を表示する動画再生画面３１、再生済みの時間（再生時間）ｔ、再生に要する時間として本来の所要時間Ｔ１、未再生部分の再生に要する時間（残り時間）Δｔ１（＝Ｔ１−ｔ）、シークバー３２、および、スライダー３４が表示されている。
【００５３】
図５（ｂ）を参照すると、ディスプレイには、再生中の動画を表示する動画再生画面３１、再生済みの時間（再生時間）ｔ、再生に要する時間としてダミーの所要時間Ｔ２、未再生部分の再生に要するダミーの時間（残り時間）Δｔ２（＝Ｔ２−ｔ）、所要時間Ｔ２に基づくシークバー３２およびスライダー３４が表示されている。
【００５４】
図５（ａ）の再生状況の表示によると、利用者は、動画データの再生が２／３程度進行し、動画データの残りの１／３程度を視聴するのに１０秒程度の時間を要することを知ることができる。一方、図５（ｂ）の再生状況の表示によると、利用者は、動画データの再生が１／３程度しか進んでおらず、動画データの残りの２／３程度を視聴するのに残り時間４０秒程度の時間を要するものと誤って認識する。
【００５５】
情報処理装置２０によると、図５（ａ）に示した実際の終了までの残り時間Δｔ１および正しいスライダー３４の位置と、図５（ｂ）に示した本実施形態における残り時間Δｔ２およびスライダー３４の位置の表示とが異なるため、利用者は、残り時間を正確に把握することができなくなる。
【００５６】
したがって、本実施形態の情報処理装置２０によると、例えば、動画再生機能付きの携帯電話などを用いて、利用者が動画投稿サイト上に投稿された動画データを視聴する際、利用者に対して再生状況を誤認させることができる。また、情報処理装置２０によると、利用者がデータの再生に要する残り時間に基づいて、データの再生終了やデータの未再生部分の内容を予測できないようにする効果がもたらされる。
【００５７】
本実施形態の情報処理装置２０によると、インターネットに投稿された動画データの再生状況の表示を変更することにより、終了時間や動画の今後の展開を利用者が予想しにくくなるという効果が生じる。したがって、利用者は、終了時間が決まっていないスポーツ中継のような動画データをデータ再生が終了するまで楽しむことができる。
【００５８】
本実施形態では、一例として、情報処理装置２０は、投稿動画データの再生時に動画再生に要する所要時間を実際の所要時間より延長したものに基づいてダミーのシークバー３２およびスライダー３４を表示する。このとき、スライダー３４の進行度に基づくコンテンツの終了および内容の予想を困難にすることができる。
【００５９】
連続ドラマのように複数回に分けられた動画データを視聴するときに、ドラマの展開が盛り上がってきた場面で、残り時間から今回はこの場面で終了して次回に続くという予想が可能となる場合がある。このような残り時間に基づく内容把握を防ぐために、関連技術として、余分なシーンを動画データに追加して投稿する方法が知られている。しかしながら、視聴者がダウンロードすべき動画データの容量が増大するという問題がある。本実施形態に係る情報処理装置２０によると、利用者がダウンロードすべき動画データの容量を増加させることなく、残り時間から動画データの未再生部分の内容が把握されること防ぐことが可能となる。
【００６０】
＜実施形態２＞
次に、第２の実施形態に係る情報処理装置について、図面を参照して説明する。第１の実施形態の情報処理装置２０では、再生されるデータの内容に依らず、再生状況の表示を変更するものとした。しかしながら、データの内容によっては、データの未再生箇所の内容を視聴者によって把握されてもよいケース（例えば、動画データが投稿者による歌唱、演奏などの場合）もある。
【００６１】
ニコニコ動画などの投稿動画サイトでは、投稿された動画データに対して投稿者または閲覧者により動画データの内容を分類するタグを付することが可能となっている。本実施形態の情報処理装置では、動画データに付与されたタグに応じて、データの再生状況の変更の要否を判定する。
【００６２】
本実施形態の情報処理装置の構成は、第１の実施形態の情報処理装置２０の構成（図４）と同様であることから図示を省略する。ただし、本実施形態の情報処理装置では、記憶部２６が保持する情報、および、ＣＰＵ２３の動作が、第１の実施形態の情報処理装置２０とは異なる。
【００６３】
図６は、記憶部２６が保持するテーブルを例示する。テーブルは、データに付されたタグと、当該データの再生時に再生状況を変更するかどうかを表すフラグとを関連付けて保持する。ここでは、フラグがＯＮであれば再生状況の変更を要するものとし、フラグがＯＦＦであれば再生状況の変更は不要とする。
【００６４】
図６（ａ）は、データの内容（ないし種類）に応じて、再生状況の変更の要否を決定する場合のテーブルを示す。一方、図６（ｂ）は、データの提供元（ないしサイト）に応じて、再生状況の変更の要否を決定する場合のテーブルを示す。なお、図６（ａ）、（ｂ）のタグは例示に過ぎず、これら以外のタグを使用してもよいし、図６（ａ）、（ｂ）に記載されたタグを組み合わせたタグを使用してもよい。
【００６５】
図６（ａ）のテーブルの場合、所定の内容（ないし種類）のデータ（コンテンツ）については、データ再生に要する所要時間を延長して再生状況を表示し、それ以外のデータについては所要時間の延長を行うことなく通常の再生状況の表示を行う。
【００６６】
図６（ａ）に示した例においては、データに付されたタグが「ボクシング」、「バレーボール」、「ドラマ」、「ゲーム」、「プレイ動画」である場合、ＣＰＵ２３は、記憶部２６が保持するテーブルを参照し、フラグがＯＮであると判定する。このとき、ＣＰＵ２３は、所要時間を延長した再生状況をディスプレイ２５に表示する。
【００６７】
一方、データに付されたタグが「音楽」、「歌ってみた」である場合、ＣＰＵ２３は、記憶部２６が保持するテーブルを参照し、フラグがＯＦＦであると判定する。このとき、ＣＰＵ２３は、所要時間を延長することなく通常の所要時間に基づいて、再生状況をディスプレイ２５に表示する。
【００６８】
図６（ｂ）のテーブルの場合、所定の提供元（ないしサイト）のデータ（コンテンツ）については、データ再生に要する所要時間を延長して再生状況を表示し、それ以外の提供元（ないしサイト）のデータについては所要時間の延長を行うことなく通常の再生状況の表示を行う。
【００６９】
図６（ｂ）に示した例においては、データに付されたタグが「Ａ社」、「ＵＲＬ（Uniform Resource Locator）：Ｘ」である場合、ＣＰＵ２３は、記憶部２６が保持するテーブルを参照し、フラグがＯＮであると判定する。このとき、ＣＰＵ２３は、所要時間を延長した再生状況をディスプレイ２５に表示する。
【００７０】
一方、データに付されたタグが「Ｂ社」、「ＵＲＬ：Ｙ」である場合、ＣＰＵ２３は、記憶部２６が保持するテーブルを参照し、フラグがＯＦＦであると判定する。このとき、ＣＰＵ２３は、所要時間を延長することなく通常の所要時間に基づいて、再生状況をディスプレイ２５に表示する。
【００７１】
図７は、本実施形態におけるＣＰＵ２３の動作を一例として示すフローチャートである。図７を参照すると、利用者が動画データの視聴を開始すると、ＣＰＵ２３は、動画データに付されたタグを取得する（ステップＳ１）。次に、ＣＰＵ２３は、記憶部２６が保持するテーブル（図６）を参照し、タグに関連付けられたフラグがＯＮかＯＦＦかを判定する（ステップＳ２）。タグに関連付けられたフラグがＯＮである場合（ステップＳ２のＹｅｓ）、ＣＰＵ２３は、本来の所要時間を延長したダミーの所要時間に基づいて、データの再生状況（図５（ｂ）参照）をディスプレイ２５に表示する（ステップＳ３）。一方、タグに関連付けられたフラグがＯＦＦである場合（ステップＳ２のＮｏ）、ＣＰＵ２３は、本来の所要時間に基づいて、データの再生状況（図５（ａ）参照）をディスプレイ２５に表示する（ステップＳ４）。
【００７２】
本実施形態に係る情報処理装置によると、データの内容（ないし種類）やデータの提供元（ないしサイト）に応じて、データの再生状況の表示を変更するか否かを切り替えることが可能となる。
【００７３】
＜実施形態３＞
次に、第３の実施形態に係る情報処理装置について説明する。第１および第２の実施形態に係る情報処理装置は、データの再生に要する所要時間を本来の時間よりも延長した所要時間を用いて、データの再生状況を表示する。一方、本実施形態の情報処理装置は、データの再生に要する所要時間を本来の時間よりも短縮した所要時間を用いて、データの再生状況を表示する。
【００７４】
本実施形態の情報処理装置の構成は、第１の実施形態の情報処理装置２０の構成（図４）と同様であるため、図示を省略する。ただし、本実施形態の情報処理装置では、記憶部２６が保持する情報、および、ＣＰＵ２３の動作が、第１の実施形態の情報処理装置２０とは異なる。
【００７５】
ＣＰＵ２３は、動画データの全体を再生するのに必要な時間を示す所要時間（所要時間Ｔ１とする。）を、動画データから抽出する。ＣＰＵ２３は、記憶部２６が保持するパラメータを用いて所要時間Ｔ１を短縮することにより、所要時間Ｔ２を生成する。
【００７６】
記憶部２６は、所要時間Ｔ１から減算すべき短縮時間γを保持するようにしてもよい。このとき、ＣＰＵ２３は、所要時間Ｔ１から短縮時間γを減算して所要時間Ｔ２を生成する。一方、記憶部２６は、所要時間Ｔ１に掛け合わせるべき係数δ（＜１）を保持するようにしてもよい。このとき、ＣＰＵ２３は、所要時間Ｔ１に係数δを掛け合わせて所要時間Ｔ２を生成する。なお、記憶部２６は、所要時間Ｔ１を除算するための係数δ’（＞１）を保持するようにしてもよい。このとき、ＣＰＵ２３は、所要時間Ｔ１を係数δ’で除算して所要時間Ｔ２を生成する。
【００７７】
このように、所要時間を延長する代わりに短縮した場合においても、データを再生する利用者は、残り時間を判別することができなくなる。したがって、本実施形態の情報処理装置によると、第１および第２の実施形態に係る情報処理装置と同様に、データの未再生部分の再生に要する正確な時間を利用者が把握できないようすることが可能となる。
【００７８】
なお、データの再生に要する所要時間を本来よりも短縮して残り時間を表示した場合、所定の時間再生後は、残り時間ゼロの状態でデータの再生が行われることになる。また、この場合、所定の時間再生後は、スライダーが右端に達した状態でデータの再生が行われることになる。このとき、スライダーを操作して再生箇所を先に進めることができなくなるものの、再生済みの任意の箇所に戻る動作は実現することができる。例えば、シークバー上の右端の時刻を固定することなく、再生済みの時間に応じて更新すれば、再生済みの任意の箇所に戻ることができる。
【００７９】
上記実施形態に係る情報処理装置について、様々な変形が可能である。以下、変形例について説明する。
【００８０】
（変形例１）
上記実施形態において、データの再生に要する所要時間を延長する場合の延長時間α、係数β、短縮する場合の短縮時間γ、係数δ（δ’）などのパラメータを固定値とした。しかしながら、これらのパラメータを固定とした場合、データを再生する利用者が再生状況の表示が変更されていることに気付きやすくなる。
【００８１】
そこで、これらのパラメータを所定の分布に従ってランダムに生成するようにしてもよい。また、パラメータを可変とするのみならず、所要時間を延長するか短縮するか、どのようなアルゴリズムで所要時間を調整するかについても、データ再生の都度変更するようにしてもよい。
【００８２】
一例として、延長時間α、係数βの最大値（または、これらの組）を設定しておいて、設定した最大値の範囲内でランダムに、または所定の分布に従うように延長時間αや係数βを生成するようにしてもよい。
【００８３】
かかる変形例によると、再生状況の表示が変更されていることに利用者が気付き難くなるという効果がもたらされる。
【００８４】
（変形例２）
第１の実施形態の情報処理装置２０では、データの再生に要する所要時間を延長して再生状況を表示する（図５（ｂ））。図５（ｂ）を参照すると、データ（コンテンツ）の再生を終了したとき、スライダー３４はシークバー３２の途中で停止することになる。また、このとき、残り時間Δｔ２はゼロになる前に途中で（図５に例示した場合、３０秒で）停止することになる。
【００８５】
コンテンツ再生の終了後であれば、再生状況の表示が変更されていることに利用者が気付いてもよい場合、上記の表示のままでもよい。一方、コンテンツ再生終了後においても、シークバーの表示を変更したことを利用者に気付かれないようにするには、一例として、次のような変形が考えられる。
【００８６】
例えば、データ再生の終了間際に、スライダー３４の移動速度を高速にすることによって、データ再生の終了時にはスライダー３４がシークバー３２の右端に到達するようにしてもよい。同様に、データ再生の終了間際に、再生時間ｔおよび残り時間Δｔ２の変動量を実際の時間の経過に応じた変動量よりも大きくすることによって、データ再生の終了時に再生時間ｔと所要時間Ｔ２とが一致するようにし、残り時間Δｔ２がゼロとなるようにしてもよい。
【００８７】
また、情報処理装置２０に対する利用者の操作が所定の時間に亘って行われていない場合、シークバー３２、スライダー３４、所要時間Ｔ２、再生時間ｔ、および、残り時間Δｔ２に基づく再生状況の表示を消去し、利用者による所定の操作を受け付けた場合に、これらに基づく再生状況の表示を再開するようにしてもよい。かかる構成によると、利用者に気付かれる可能性を低くしつつ、データ再生の終了間際にスライダー３４の動きを高速にしたり、再生時間ｔおよび残り時間Δｔ２の変動量を大きくしたりできる。
【００８８】
（変形例３）
利用者は、データの再生位置を変更するために、スライダー３４を操作する。第１の実施形態の情報処理装置２０では、データの再生に要する所要時間を延長して再生状況が表示される（図５（ｂ））。したがって、図５（ｂ）において、利用者が、データ再生を終了したときのスライダー３４の位置（図５（ｂ）の場合、シークバー３２の中央）よりも右側にスライダー３４を動かそうとしたときに、再生状況の表示が変更されていることに利用者が気付くおそれがある。
【００８９】
シークバー３２およびスライダー３４の表示が変更されていることに、利用者が気付かないようにするために、一例として、次のような変形が考えられる。
【００９０】
例えば、データ再生の終了時におけるスライダー３４の停止位置よりも右側にスライダー３４を移動する操作を、データの再生中に利用者から受け付けた場合、ＣＰＵ２３は、延長された所要時間Ｔ２に基づくシークバー３２およびスライダー３４の表示（図５（ｂ））を終了して、本来の所要時間Ｔ１に基づくシークバー３２およびスライダー３４の表示（図５（ａ））に切り替えるようにしてもよい。
【００９１】
本発明の情報処理装置は、ネットワークに接続して動作する携帯電話、スマートフォンに限らず、他の装置（例えば、ゲーム機、タブレット（tablet）ＰＣ（Personal Computer）、ノートＰＣ、ＰＤＡ（Personal Data Assistants：携帯情報端末）や、スタンドアローンで動作する装置（ＤＶＤ（Digital Versatile Disc）プレーヤーやＰＣ）にも適用することができる。また、情報処理装置において再生されるデータ（ないしコンテンツ）も、インターネット上のサーバに投稿された動画データに限定されず、任意の動画データ（例えば、ＤＶＤに記録された映画）、音楽データ（例えば、ＣＤ（Compact Disc）に記録された音楽）であってもよい。
【００９２】
なお、本発明において、以下に付記として記載する形態が可能である。
［付記１］
上記第１の視点に係る情報処理装置のとおりである。
［付記２］
前記生成部は、前記第１の所要時間を延長して前記第２の所要時間を生成する、
付記１に記載の情報処理装置。
［付記３］
前記生成部は、前記第１の所要時間を短縮して前記第２の所要時間を生成する、
付記１に記載の情報処理装置。
［付記４］
前記生成部は、所定の分布に従う時間を前記第１の所要時間に加算もしくは減算し、または、所定の分布に従う係数を前記第１の所要時間に乗算もしくは除算して、前記第２の所要時間を生成する、
付記１に記載の情報処理装置。
［付記５］
前記表示制御部は、前記データの全体を再生するのに必要な時間として前記第２の所要時間を前記ディスプレイに表示するとともに、前記データの再生済みの時間を表す再生時間を前記ディスプレイに表示する、
付記１ないし４のいずれか一に記載の情報処理装置。
［付記６］
前記表示制御部は、前記第２の所要時間から前記データの再生済みの時間を差し引いた時間を、前記データの未再生部分の再生に要する残り時間として前記ディスプレイに表示する、付記１ないし５のいずれか一に記載の情報処理装置。
［付記７］
前記表示制御部は、前記第２の所要時間を前記データの全体を再生するのに必要な時間としたシークバーと、前記第２の所要時間に対する前記データの再生済みの時間の割合に応じて該シークバー上における位置を決定したスライダーを、前記ディスプレイに表示する、
付記１ないし６のいずれか一に記載の情報処理装置。
［付記８］
データに付されたタグと該データの再生状況の表示を変更するか否かを示すフラグとを対応付けて保持する記憶部を備え、
前記表示制御部は、データに付されたタグに対応付けられたフラグが該データの再生状況の表示を変更することを示す場合、前記第２の所要期間に基づいて該データの再生状況を前記ディスプレイに表示し、それ以外の場合、前記第１の所要期間に基づいて該データの再生状況を前記ディスプレイに表示する、付記１ないし７のいずれか一に記載の情報処理装置。
［付記９］
上記第２の視点に係る情報処理方法のとおりである。
［付記１０］
前記生成工程において、前記第１の所要時間を延長して前記第２の所要時間を生成する、
付記９に記載の情報処理方法。
［付記１１］
前記生成工程においては、前記第１の所要時間を短縮して前記第２の所要時間を生成する、
付記９に記載の情報処理方法。
［付記１２］
前記生成工程においては、所定の分布に従う時間を前記第１の所要時間に加算もしくは減算し、または、所定の分布に従う係数を前記第１の所要時間に乗算もしくは除算して、前記第２の所要時間を生成する、
付記９に記載の情報処理方法。
［付記１３］
前記表示工程において、前記データの全体を再生するのに必要な時間として前記第２の所要時間を前記ディスプレイに表示するとともに、前記データの再生済みの時間を表す再生時間を前記ディスプレイに表示する、
付記９ないし１２のいずれか一に記載の情報処理方法。
［付記１４］
前記表示工程において、前記第２の所要時間から前記データの再生済みの時間を差し引いた時間を、前記データの未再生部分の再生に要する残り時間として前記ディスプレイに表示する、付記９ないし１３のいずれか一に記載の情報処理方法。
［付記１５］
前記表示工程において、前記第２の所要時間を前記データの全体を再生するのに必要な時間としたシークバーと、前記第２の所要時間に対する前記データの再生済みの時間の割合に応じて該シークバー上における位置を決定したスライダーを、前記ディスプレイに表示する、
付記９ないし１４のいずれか一に記載の情報処理方法。
［付記１６］
前記情報処理装置が、データに付されたタグと該データの再生状況の表示を変更するか否かを示すフラグとを対応付けて保持する工程を含み、
前記表示工程において、データに付されたタグに対応付けられたフラグが該データの再生状況の表示を変更することを示す場合、前記第２の所要期間に基づいて該データの再生状況を前記ディスプレイに表示し、それ以外の場合、前記第１の所要期間に基づいて該データの再生状況を前記ディスプレイに表示する、付記９ないし１５のいずれか一に記載の情報処理方法。
［付記１７］
上記第３の視点に係るプログラムのとおりである。
【００９３】
なお、上記の特許文献の各開示を、本書に引用をもって組み込むものとする。本発明の全開示（請求の範囲を含む）の枠内において、さらにその基本的技術思想に基づいて、実施形態の変更・調整が可能である。また、本発明の請求の範囲の枠内において種々の開示要素（各請求項の各要素、各実施形態の各要素、各図面の各要素等を含む）の多様な組み合わせ、ないし、選択が可能である。すなわち、本発明は、請求の範囲を含む全開示、技術的思想にしたがって当業者であればなし得るであろう各種変形、修正を含むことは勿論である。特に、本書に記載した数値範囲については、当該範囲内に含まれる任意の数値ないし小範囲が、別段の記載のない場合でも具体的に記載されているものと解釈されるべきである。
【符号の説明】
【００９４】
１０、２０    情報処理装置
１２          生成部
１４          表示制御部
１６、２６    記憶部
２１          操作入力部
２２          通信部
２３          ＣＰＵ
２５          ディスプレイ
３１、１３１  動画再生画面
３２、１３２  シークバー
３４、１３４  スライダー
６０          投稿者端末
７０          サーバ
ｔ            再生時間
Ｔ１、Ｔ２      所要時間
Δｔ１、Δｔ２  残り時間
【図１】
2014168154.tif 000003
【図２】
2014168154.tif 000004
【図３】
2014168154.tif 000005
【図４】
2014168154.tif 000006
【図５】
2014168154.tif 000007
【図６】
2014168154.tif 000008
【図７】
2014168154.tif 000009
【図８】
2014168154.tif 000010